(57)【要約】【課題】コンピュータを利用し、人物・動物等の顔画像を他の人物・動物等が写っている画像と合成する、情報システムを提供する。【解決手段】利用者が用意した可能な限り幅広い対象画像・顔写真等の画像を合成の素材として使用できる様に、顔写真等の画像の周りに縁を設け、異なる画像の構造・明度・色相・彩度等の違いを緩和し、可能な限り違和感のない状態で画像合成イメージを作成する。【選択図】図３
2014106955.tif 000002
【特許請求の範囲】
【請求項１】
パーソナルコンピュータ、及びそれに準じる機能を持つスマートフォン・携帯電話・タブレット等の端末と、画像合成機能を有するプログラムデータを用いて、顔写真等の画像、及び対象が写り込んだ画像を合成し、その際に、顔写真等の両像の周りに縁を設置する事を特徴とした方法。
【請求項２】
前記の、画像合成機能を有するプログラムデータをサーバー上に置き、端末とインターネット上で接続し、ＷＥＢブラウザ等で操作される方式を用いた、請求項１記載の画像合成の方法。
【請求項３】
前記の、画像合成機能を有するプログラムデータをサーバー上に置き、端末にアプリケーションとしてダウンロード・インストールし、実行する方式を用いた、請求項１記載の画像合成の方法。
【請求項４】
前記の、請求項１を用いた、仮想試着の方法。
【請求項５】
前記の、画像合成機能を有するプログラムデータをサーバー上に置き、端末とインターネット上で接続し、ＷＥＢブラウザ等で操作される方式を用いた、請求項４記載の仮想試着の方法。
【請求項６】
前記の、画像合成機能を有するプログラムデータをサーバー上に置き、端末にアプリケーションとしてダウンロード・インストールし、実行する方式を用いた、請求項４記載の仮想試着の方法。
【発明の詳細な説明】
【技術分野】
【０００１】本発明はコンピュータを利用し、人物・動物等の顔画像を他の人物・動物等が写っている画像と合成する情報提供システムに関する。
【背景技術】
【０００２】コンピュータの普及により、利用者が気軽に画像合成を楽しむ機会が増えており、特に人物・動物等の顔画像を他の人・動物等が写っている画像と合成するサービスが登場している。
一例としてはファッション商品の販売促進の一環として、モデル等が着用した製品画像に利用者が自身の顔等の画像を合成し、仮想で試着したイメージを作成・表示するサービスの存在が挙げられる。主にインターネットを介したサービスとなり、その際の方法として、サービス提供側が事前に用意した製品等の画像に、利用者が用意した顔写真等の画像を合成し、仮想試着イメージを作成する手法が取られている。（例として、特許文献１、及び同２参照）【０００３】しかしながら従来の方法では、サービス提供側が事前に用意した対象画像に対しての画像合成のみが対象となり、利用者は限られた対象でしか合成を実行し得ない、という欠点が存在する。これはサービス提供側が、対象について予め必要な加工を施した画像及びデータを持つ事が大前提となり、利用者が幅広く自由に、合成の対象を選定する事ができないという事に他ならない。
【先行技術文献】
【０００４】
【特許文献１】特開２００２−１８３５４２号公報
【特許文献２】特開２００６−２５１８３９
【発明の開示】
【発明が解決しようとする課題】
【０００５】解決しようとする問題点として、利用者がより自由に、好きな対象画像で顔画像の合成を利用できうる点、が挙げられる。
【課題を解決するための手段】
【０００６】本発明は、提供側が予め準備を施した製品等の画像に依るサービスではなく、利用者が用意した任意の合成対象画像・並びに顔写真等の画像を利用者自身がコンピュータ上の操作で合成し、画像合成イメージを作成できる点が特徴となる。【０００７】これは画像合成の仕組みを簡便化し、可能な限り幅広い対象画像・顔写真等の画像を、合成の素材として使用できる様に試行錯誤した結果である。最大の特徴として、顔写真等の画像の周りに縁を設け、俗に言う≪顔ハメ看板・顔出し看板≫と同様の効果を発揮する事が挙げられる。
【発明の効果】
【０００８】本発明により、利用者は顔画像等の合成対象が幅広く選定できる事となり、利便性は大幅に向上する。
特に前述の、ファッション商品の仮想試着という分野においては、これまでのサービス提供側が用意していた画像を利用者が受動的に合成する、というスタイルから、利用者が自発的に対象を選び合成を実行する、と形に変わる、大きな転換点となりうると考える。
【図面の簡単な説明】
【０００９】
【図１】本発明の実施形態に係るシステムの構成を示す図である。
【図２】本発明を利用した際に生成される顔画像データの内容を示す図である。
【図３】本発明を利用した際の画像合成の調整手順を示す図である。
【図４】本発明を利用した際の処理手順を示すフローチャート図である。
【発明を実施するための形態】
【００１０】以下、本発明の実施の形態を図面に基づいて詳細に説明する。
図１は、本発明の実施形態に係るシステムの構成を示す図、図２は、本発明を利用した際に生成される顔画像データの内容を示す図である。図３は、本発明を利用した際の画像合成の調整手順を示す図、図４は、本発明を利用した際の処理手順を示すフローチャート図である。
【００１１】本発明の実施形態に係るシステムは、図１に示すように、利用者のパーソナルコンピュータ、及びそれに準じる機能を持つスマートフォン・携帯電話・タブレット等の端末１（以下端末１と記載）と、画像合成システムを備えたサーバー２（以下サーバー２と記載）から構成されている。
利用者は、端末１とサーバー２をインターネットにより接続、ＷＥＢブラウザ上で実行する方式、もしくは画像合成システム自体をサーバー２より端末１に、アプリケーションとしてダウンロード・インストールし実行する方式、により画像の合成を行う。
【００１２】利用者は、合成に使用したい顔写真等の画像３（以下顔画像３と記載）、及び合成のベースとなる対象画像４（以下対象画像４と記載）を、デジタルデータとして端末１に取り込む。（対象画像４は、システムの特性上、顔を含めた全身、並びに上半身が視認しやすい状態で撮影されている事が望ましい）
【００１３】以下、利用者は端末１によって操作が可能となっている画像合成システムを用いて、顔画像３、及び対象画像４を自身で操作する事となる。
まず図２に示すように、送信された顔画像３より、合成に必要のない部分を取り除く。（具体的には対象画像より顔部分のみを座標で指定、除外された部分を消去）
抽出された画像に対し、顔部分が中心に来るように周りに縁を作成する。（以下加工顔画像５と記載）
【００１４】その後、図３に示すように加工顔画像５と対象画像４を同一の画面上に表示する。
加工顔画像５は利用者の操作により対象画像４の上に重ねて配置する事が可能であり、また任意で拡大・縮小・回転させる事が可能である。
【００１５】前述を基に利用者は画面上で加工顔画像５を任意の位置・大きさ・角度で対象画像４と重ね合わせ、合成に最適な位置を決定する。
多くの場合は、対象画像４に元々写り込んでいる顔部分に位置、大きさ等をを合わせる事で、より違和感の無い画像の作成が可能となる。（人物の顔と動物の顔を合成する場合等においては、この限りでは無い）
【００１６】各画像の座標を基に１枚の新しい画像６（以下完成画像６と記載）が合成され、あたかも≪顔ハメ看板・顔出し看板≫の様に、顔画像３が対象画像４の上に配置された画像を作成する事ができる。
≪顔ハメ看板・顔出し看板≫という表現はあくまで便宜的に用いており、実際の合成過程では利用者自らが任意に加工顔画像５の大きさ、角度等を調整する事で、可能な限り違和感のない状態で対象画像４と重ね合わせる事ができる。加工顔画像５の縁は、２枚の画像の構造・明度・色相・彩度等の違いを緩和する効果を主眼に置いて実装している。
【符号の説明】
【００１７】１．利用者の使用する端末
２．サーバー
３．顔写真等の画像
４．合成対象となる画像
５．加工後の顔写真画像
６．完成した合成画像
【図１】
2014106955.tif 000003
【図２】
2014106955.tif 000004
【図３】
2014106955.tif 000005
【図４】
2014106955.tif 000006